(57)【要約】      （修正有）【課題】インデックス用紙を好ましい位置で簡便に屈曲することができるファイル用インデックス用紙を提供する。【解決手段】一方の端部に綴じ孔２を有し他方の端部に見出し部３を有するインデックス用紙１であり、上記綴じ孔の近傍に綴じ孔に沿って複数の筋目４を設け、その筋目の中の適当な筋目を用いて上記インデックス用紙を的確な位置で簡易に折り曲げ得るようたした。【選択図】図１
0003112210.tif 000002
【実用新案登録請求の範囲】
【請求項１】
一方の端部に綴じ孔を有し他方の端部に見出し部を有するインデックス用紙であって、上記綴じ孔の近傍にこの綴じ孔に沿って上記インデックス用紙が屈曲し得るよう複数の筋目を設けたことを特徴とするファイル用インデックス用紙。
【請求項２】
各筋目が上記インデックス用紙の両面において共に凹条となるように形成した請求項１に記載のファイル用インデックス用紙。
【請求項３】
筋目が交互に凹条と凸条となるように形成した請求項１に記載のファイル用インデックス用紙。
【考案の詳細な説明】
【技術分野】
【０００１】
本考案は、フラットファイルやパイプファイル等のファイルに用いられるものであって、綴じ孔の近傍において好適に曲折して使用することができるファイル用インデックス用紙に関する。
【背景技術】
【０００２】
各種のファイル用紙を綴じるための用具として、ファイル用紙に形成した綴じ孔に綴じ片を挿入し、この綴じ片を押え板に挿入して後、この押え板に装着したスライド片を移動して綴じ片を保持するフラットファイルや、ファイル用紙の綴じ孔を綴じ具本体の揺動部に設けたパイプ外周に挿通し、このパイプの孔に支持板のロッドを挿入して後、この支持板を綴じ具本体の固定部に揺動可能に設けたストッパーで保持するパイプファイル等のファイルが知られている。
【０００３】
これらのファイルを用いてファイル用紙を綴る際に、そのファイル用紙をグループ毎に分類し整理するためにファイル用紙の間にインデックス用紙を挟んで使用している。
【０００４】
このインデックス用紙は、ファイル用紙より厚目に形成されているので、ファイル用紙を使用しようとする際に、インデックス用紙が起立状態となり使い難い上に、このインデックス用紙を表紙側に折り曲げて使用しなければならないので手間がかかり、しかもうまく折り曲げることができなかった。
【０００５】
特に、ファイル用紙を複数枚折り返した位置でインデックス用紙を折り返す場合は、折り返すファイル用紙によってその部分の厚みが増すので、インデックス用紙を折り曲げる位置を順次綴じ孔より遠ざかる位置に変えなければならず大変使い難いものであった。
【考案の開示】
【考案が解決しようとする課題】
【０００６】
本考案は、これらの問題点を解消し、かつ改良しようとするものであって、インデックス用紙を好ましい位置で簡便に屈曲することができるファイル用インデックス用紙を提供しようとするものである。
【課題を解決するための手段】
【０００７】
本考案は、ファイル用インデックス用紙の綴じ孔の近傍に複数の筋目を設け、その筋目の中の適当な筋目を用いてその部分より簡易に屈曲できるようにしたものである。
【０００８】
また、その筋目を上記インデックス用紙の両面より対向した位置で筋押しすることによって共に凹条となる筋目を形成するようにしたものである。
【０００９】
更に、上記インデックス用紙の両面より位置をずらした位置で筋押しすることによって凹条と凸条よりなる筋目を交互に形成するようにしたものである。
【考案の効果】
【００１０】
本考案は、綴じ孔の近傍に複数の筋目を設けているので、折り返されるファイル用紙の枚数に応じて複数の筋目の内の適当な筋目を用いて屈曲することができ、この筋目を介して簡易に折り返すことができる。
【００１１】
また、筋目を上記インデックス用紙の両面において凹条となるようにした場合、筋目がインデックス用紙の表面より突出することがなく扁平状態となるので、ファイルが嵩張るようなことがない。
【００１２】
更に、筋目を交互に凹条、凸条となるようにした場合、上記インデックス用紙を左右いずれの方向にも容易に屈曲させて用いることができ、左右共用のインデックス用紙としも使用することができる。
【考案を実施するための最良の形態】
【００１３】
ファイル用インデックス用紙（１）は、その一方の端部に綴じ孔（２）を有し、他方の端部に見出し部（３）を有しており、その綴じ孔（２）の近傍に筋目（４）が綴じ孔（２）に沿って２本設けられている。
【００１４】
この筋目（４）は、上記の２本以外に３本、４本等と複数本にすることができる。
【００１５】
筋目（４）は、実施例では上記インデックス用紙（１）の片面あるいは両面より筋押しすることによって形成されているが、その他の方法、例えば型押し等によって形成することもできる。
【００１６】
図４に示す筋目（４）は、上記インデックス用紙（１）の片面より筋押しして形成した場合で、片面のみに凹条（５）が（従って他面に凸条（６）が）形成されている。また、図５に示す筋目（４）は、両面より対向した位置で筋押しした場合で、両面とも凹条（６）に形成されている。更に、図６に示す筋目（４）は、両面よりずらした位置で筋押しした場合で、両面に凹条（５）と凸条（６）が交互に形成されている。
【００１７】
上記２本の筋目（４）は、その綴じ孔側の１本目の筋目がインデックス用紙（１）の綴じ孔側の紙端より約１５〜２０ｍｍの位置（ａ）に形成されており、またこれらの筋目は筋幅（ｂ）が約０．５〜１ｍｍで、かつ筋目間の幅（ｃ）が約３ｍｍに形成されているが、これらの寸法はその他適宜の寸法とすることができ、また筋目を連続して形成し波形状（ジャバラ状）にすることもできる。
【００１８】
上記インデックス用紙（１）は、図示の例では約０．２ｍｍの厚味を有しているが、その他０．１５ｍｍ、０．２５ｍｍ等あるいはその他の寸法のものとすることができる。
【００１９】
なお、上記インデックス用紙（１）の見出し部（３）は、図示のように、このインデックス用紙に見出し片を貼着してもよいし、又インデックス用紙と一体に形成するようにしてもよい。
【００２０】
実施例では、綴じ孔（２）が２個になっているが、ファイルの形式によってはその他の個数とすることができる。
【００２１】
上記インデックス用紙（１）は、図２に示すように、ファイル用紙（１２）共に表表紙（１５）、裏表紙（１６）、背表紙（１７）を有するフラットファイル（７）に、綴じ片（８）、押え板（９）、スライド片（１０）を有する綴じ具（１１）を用いて綴られる。
１枚目のインデックス用紙（１）は、図３に示すように、筋目（４）に沿って折り曲げて使用される。
【００２２】
上記インデックス用紙（１）がファイル用紙の中程にある場合は、折り返したファイル用紙の厚みに応じ筋目の中の適当な筋目を用いて折り曲げることができ、これによってインデックス用紙（１）を円滑かつきれいに折り曲げることができる。
【００２３】
なお、上記インデックス用紙（１）の片面あるいは両面には、適宜、タイトル等を表示するための欄（１３）を設けたり、又上記見出し部（３）に見出し用の文字（１４）を表示したり、あるいはこの見出し部を着色したりして使用することができる。
【図面の簡単な説明】
【００２４】
【図１】本考案の実施例を示す斜面図である。
【図２】インデックス用紙をフラットファイルに綴じた状態を示す斜面図である。
【図３】インデックス用紙を曲折させる状態を示す部分拡大斜面図である。
【図４】インデックス用紙の部分拡大断面図である。
【図５】インデックス用紙の他の例を示す部分拡大断面図である。
【図６】インデックス用紙の更に他の例を示す部分拡大断面図である。
【符号の説明】
【００２５】
１    ファイル用インデックス用紙
２    綴じ孔
３    見出し部
４    筋目
５    凹条
６    凸条
７    フラットファイル
１１    綴じ具
１２    ファイル用紙
【図１】
0003112210.tif 000003
【図２】
0003112210.tif 000004
【図３】
0003112210.tif 000005
【図４】
0003112210.tif 000006
【図５】
0003112210.tif 000007
【図６】
0003112210.tif 000008